(57)【要約】【課題】本発明は、フレキシブルコア及びフレキシブルダイの一方又は両方をアクチュエータによって作動させ、パリソン垂下中に肉厚をダイナミック制御することを目的とする。【解決手段】本発明によるパリソン肉厚調整装置は、少なくともフレキシブルコア(2)及びフレキシブルダイ(22)の一方を数値制御可能なアクチュエータ(20)により作動させ、輪状隙間(5)の間隔を調整して肉厚調整する構成である。【選択図】図１
2008044249.tif 000002
【特許請求の範囲】
【請求項１】
クロスヘッドから供給される溶融樹脂を、前記クロスヘッドの下部のコア(1)とダイ(4)との間の輪状隙間(5)を調整して下方へ垂下するパリソン(10)の肉厚を調整するようにしたパリソン肉厚調整装置において、
少なくとも前記コア(1)に設けたフレキシブルコア(2)及び前記ダイ(4)に設けたフレキシブルダイ(22)の一方を数値制御可能なアクチュエータ(20)により作動させ、前記輪状隙間(5)の間隔を調整することを特徴とするパリソン肉厚調整装置。
【請求項２】
前記コア(1)に前記アクチュエータ(20)を設けたことを特徴とする請求項１記載のパリソン肉厚調整装置。
【請求項３】
前記ダイ(4)に前記アクチュエータ(20)を設けたことを特徴とする請求項１記載のパリソン肉厚調整装置。
【請求項４】
前記コア(1)及びダイ(4)に前記アクチュエータ(20)を設け、前記フレキシブルコア(2)及びフレキシブルダイ(22)の両方を作動することを特徴とする請求項１記載のパリソン肉厚調整装置。
【発明の詳細な説明】
【技術分野】
【０００１】
本発明は、パリソン肉厚調整装置に関し、特に、コアに設けたフレキシブルコア及びダイに設けたフレキシブルダイの一方又は両方を数値制御可能なアクチュエータにより作動させ、生産性の向上を得るようにするための新規な改良に関する。
【背景技術】
【０００２】
従来、用いられていたこの種のパリソン肉厚調整装置としては、例えば、特許文献１に開示された構成を挙げることができるが、採用されているコア肉厚調整構造としては、図６又は図７の構成であった。
すなわち、図６はコア１に設けられた輪状のフレキシブルコア２をねじ３で作動させる構成であり、このフレキシブルコア２の外側にはダイ４が設けられている。
【０００３】
前記ダイ４とフレキシブルコア２との間には、輪状隙間５が形成され、この輪状隙間５は、図示しないクロスヘッドに接続されている。
前記フレキシブルコア２は、全体としては、図５に示されるように、所定角度毎に複数に分割されて構成されている。
従って、前述の図６の従来構成において、ねじ３を手動で操作することにより、フレキシブルコア２をダイ４側へ作動させ、輪状隙間５の間隔を調整することにより、クロスヘッドから押出され輪状隙間５から垂下するパリソン１０の肉厚を調整することができる。
【０００４】
また、図７で示される従来構成においては、コア１の外側にダイ４が設けられ、このダイ４の内側にはフレキシブルダイ６が作動自在に設けられ、このダイ４内には移動子７とねじ３が設けられている。
前記ネジ３は前記ダイ４の孔４ａを貫通しており、このねじ３を回転させることにより、このねじ３の先端側に螺合して設けられた移動子７が矢印Ａに沿って出入りし、この移動子７に当接するフレキシブルダイ６を押すことによって輪状隙間５の間隔を調整し、垂下するパリソン１０の肉厚を調整している。
【０００５】
【特許文献１】特開平７−８８９４６号公報
【発明の開示】
【発明が解決しようとする課題】
【０００６】
従来のパリソン肉厚調整装置は、以上のように構成されているため、次のような課題が存在していた。
すなわち、パリソンの肉厚を決めるための輪状隙間の間隔を調整するフレキシブルコア又はフレキシブルダイを作動させる操作として、ねじを手動で回転させ、機械停止と運転を繰り返し、トライアンドエラーでフレキシブルコア及びフレキシブルダイの位置調整を行っていた。
【課題を解決するための手段】
【０００７】
本発明によるパリソン肉厚調整装置は、クロスヘッドから供給される溶融樹脂を、前記クロスヘッドの下部のコアとダイとの間の輪状隙間を調整して下方へ垂下するパリソンの肉厚を調整するようにしたパリソン肉厚調整装置において、少なくとも前記コアに設けたフレキシブルコア及び前記ダイに設けたフレキシブルダイの一方を数値制御可能なアクチュエータにより作動させ、前記輪状隙間の間隔を調整する構成であり、また、前記コアに前記アクチュエータを設けた構成であり、また、前記ダイに前記アクチュエータを設けた構成であり、また、前記コア及びダイに前記アクチュエータを設け、前記フレキシブルコア及びフレキシブルダイの両方を作動する構成である。
【発明の効果】
【０００８】
本発明によるパリソン肉厚調整装置は、以上のように構成されているため、次のような効果を得ることができる。
すなわち、フレキシブルコア及びフレキシブルダイは、アクチュエータによって機械運転中に作動できるため、数値制御による正確な制御が可能となり、パリソンを垂下させつつダイナミック制御による肉厚のリアルタイム肉厚制御が可能となる。
そのため、従来のように、手動操作による機械の停止及び運転の繰り返しをする必要がなくなり、機械停止ロス時間の低減による生産性の向上を得ることができる。
【発明を実施するための最良の形態】
【０００９】
本発明は、コアに設けたフレキシブルコア及びダイに設けたフレキシブルダイの一方又は両方を数値制御可能なアクチュエータにより作動させ、生産性の向上を得るようにしたパリソン肉厚調整装置を提供することを目的とする。
【実施例】
【００１０】
以下、図面と共に本発明によるパリソン肉厚調整装置の好適な実施の形態について説明する。
尚、従来例と同一又は同等部分には同一符号を付して説明する。
図１において、符号１で示されるものはコアであり、このコア１の外側にコア１と一体又は別体で設けられた円筒状のフレキシブルコア２は、前記コア１に内設された周知の電気機械式のリニアアクチュエータ等からなり前記コア１に設けられたアクチュエータ２０により矢印Ｂの方向に押し引き自在に構成されている。
【００１１】
前記フレキシブルコア２は、図４に示されるように、所定角度毎に分割された複数のコア片２ａ〜２ｄで構成され、前記各コア片２ａ〜２ｄにはアクチュエータ２０の先端が当接されていると共に、各アクチュエータ２０は制御装置２１に接続され、この制御装置２１の制御により各アクチュエータ２０が作動されて各コア片２ａ〜２ｄの押し引きが行われ、輪状隙間５の間隔が調整されるように構成されている。
【００１２】
次に、前述の図１及び図４の構成において、実際にパリソン１０の肉厚を調整する場合について説明する。
図１及び図４に示されるように、制御装置２１によって予め各アクチュエータ２０を作動させ、輪状隙間５の間隔を予め設定された間隔に設定した状態下で、図示しないクロスヘッドから溶融樹脂を押し出すと、この溶融樹脂は輪状隙間５を経てパリソン１０が垂下する。
【００１３】
前述の構成で、パリソン１０の肉厚を調整する場合、制御装置２１によって各アクチュエータ２０を同時に作動させると、パリソン１０が垂下している状態（機械が動作中）で全体の肉厚がリアルタイムでダイナミックに調整でき、各アクチュエータ２０を部分的に作動させると、パリソン１０の肉厚を円周方向で部分的に変えることができる。
【００１４】
次に、図２及び図５は、本発明によるパリソン肉厚調整装置の他の形態を示すもので、図１及び図４と同一部分には同一符号を付し、その説明は省略し、異なる部分についてのみ説明する。
前記ダイ４の内側には、前記ダイ４と一体または別体（図２）に設けたフレキシブルダイ２２が矢印Ｂの方向に作動自在に設けられ、前記ダイ４内には移動子７を有するアクチュエータ２０が設けられていると共に、このアクチュエータ２０の動作は制御装置２１によって制御されるように構成されている。
【００１５】
前記フレキシブルダイ２２は、全体形状として円筒状を成しているが、底面として示すと図５の通りであり、所定角度毎に、本形態では４個に分割して構成され、各ダイ片２２ａにより円筒状に形成されている。
従って、前記各アクチュエータ２０により各移動子７を矢印Ａの方向に沿って移動させることにより、各ダイ片２２ａを矢印Ｂの方向に沿って移動させ、輪状隙間５の間隔を調整し、パリソン１０の肉厚を調整することができる。
【００１６】
前述の構成で、パリソン１０の肉厚を調整する場合、制御装置２１によって各アクチュエータ２０を同時に作動させると、パリソン１０が垂下している状態（機械が動作中）で全体の肉厚がリアルタイムでダイナミックに調整でき、各アクチュエータ２０を部分的に作動させると、パリソン１０の肉厚を円周方向で部分的に変えることができる。
【００１７】
次に、図３の他の形態においては、図１及び図２に示される形態を用い、フレキシブルコア２及びフレキシブルダイ２２を各制御装置２１によって矢印Ｂ方向に移動させ、輪状隙間５の間隔を迅速かつ細かく自在に制御し、パリソン１０の肉厚を制御することができる。
尚、図１及び図２の構成と同一部分には同一符号を付し、その説明は省略する。
【図面の簡単な説明】
【００１８】
【図１】本発明によるパリソン肉厚調整装置の要部を示す断面図である。
【図２】図１の他の形態を示す断面図である。
【図３】図１及び図２の構成を用いた形態を示す断面図である。
【図４】図１の底面を示す概略図である。
【図５】図２の底面を示す概略図である。
【図６】従来のパリソン肉厚調整装置を示す要部の断面図である。
【図７】図６の他の従来装置を示す断面図である。
【符号の説明】
【００１９】
１    コア
２    フレキシブルコア
２ａ    コア片
４    ダイ
５    輪状隙間
７    移動子
１０    パリソン
２０    アクチュエータ
２１    制御装置
２２    フレキシブルダイ
２２ａ    ダイ片
【図１】
2008044249.tif 000003
【図２】
2008044249.tif 000004
【図３】
2008044249.tif 000005
【図４】
2008044249.tif 000006
【図５】
2008044249.tif 000007
【図６】
2008044249.tif 000008
【図７】
2008044249.tif 000009